(57)【要約】【課題】内燃機関の小型化を図りつつ、高い取付け剛性でスタータモータをユニットケースに取付けることができる内燃機関のスタータモータ取付構造を供する。【解決手段】クランクケース11ｃから前傾して突出したシリンダブロック12の後側傾斜面12ｓに前側取付ボス12ｆが形成され、ミッションケース11ｍの上壁がカウンタ軸65より高く配置されたメイン軸61を収容すべく上方に隆起した隆起部11ａの前側壁面11ｓに後側取付ボス11ｒが形成され、前側取付ボス12ｆと後側取付ボス11ｒが互いにクランク軸方向にオフセットしており、スタータモータ50から延出した前側ブラケット52ｆと後側ブラケット52ｒが、それぞれ前側取付ボス12ｆと後側取付ボス11ｒに締結される内燃機関のスタータモータ取付構造。【選択図】図３
2008057396.tif 000002
【特許請求の範囲】
【請求項１】
クランク機構を収容するクランクケースと変速機構を収容するミッションケースが前後に一体的に形成されるユニットケースの上部にスタータモータが取り付けられる内燃機関のスタータモータ取付構造において、
前記クランクケースから前傾して突出したシリンダブロックの後側傾斜面に前側取付ボスが形成され、
前記ミッションケースの上壁が前記変速機構のカウンタ軸より高く配置されたメイン軸を収容すべく上方に隆起した隆起部の前側壁面に後側取付ボスが形成され、
前記前側取付ボスと前記後側取付ボスが互いにクランク軸方向にオフセットしており、
前記スタータモータから延出した前側ブラケットと後側ブラケットが、それぞれ前記前側取付ボスと前記後側取付ボスに締結されることを特徴とする内燃機関のスタータモータ取付構造。
【請求項２】
前記前側取付ボスは、シリンダ中心軸からクランク軸方向にオフセットした位置に形成されることを特徴とする請求項１記載の内燃機関のスタータモータ取付構造。
【請求項３】
前記ミッションケース内の前記メイン軸に配列される径の異なる複数のギヤからなるギヤ群が、前記ミッションケースの上壁の隆起部内に収容され、
前記後側取付ボスが、前記ギヤ群のうち小径ギヤに対向する位置に形成されることを特徴とする請求項１または請求項２記載の内燃機関のスタータモータ取付構造。
【請求項４】
前記後側取付ボスが、前記クランクケース内のクランク室と前記ミッションケース内のミッション室とを仕切る仕切り壁の上方への延長部に形成されることを特徴とする請求項１から請求項３までのいずれかの項記載の内燃機関のスタータモータ取付構造。
【発明の詳細な説明】
【技術分野】
【０００１】
本発明は、内燃機関のクランクケースとミッションケースが一体的に形成されたユニットケースにスタータモータを取付ける構造に関する。
【背景技術】
【０００２】
この種のユニットケースを備える内燃機関の従来例としては、特許文献１に開示された自動二輪車用内燃機関の例がある。
【特許文献１】特開２００１−１１５９３３号公報
【０００３】
同特許文献１における内燃機関のクランクケースとミッションケースが一体的に形成されたユニットケースは、上下割りに構成され、クランク室内のクランク軸およびミッション室内のミッション軸であるメイン軸とカウンタ軸の３軸が、前後にクランク軸，メイン軸，カウンタ軸の順にユニットケースの水平割り面に挟まれるようにして軸支される前後幅の長い構造である。
【０００４】
そして、クランクケースの前側部分から前傾してシリンダブロックが突出しており、上壁の後側部分に前後一対の取付ボスが突設され、スタータモータの前後に突設された支持腕が、前後一対の取付ボスに締結されて、スタータモータが取り付けられている。
【０００５】
クランク軸，メイン軸，カウンタ軸が、ユニットケースの水平割り面に前後に並んで配設されているので、ユニットケースは前後幅が大きく、ミッション室の前後に並んだメイン軸とカウンタ軸のギヤ群を収容するために、特別ミッションケースの上壁を上方に隆起させる必要がないので、シリンダブロック後方のユニットケースの上壁の上方空間が広く、クランクケースの後側部分に取付けられたスタータモータのミッションケースの上壁との干渉を考慮する必要がない。
【発明の開示】
【発明が解決しようとする課題】
【０００６】
このようにユニットケースの前後幅が大きければ、ユニットケースの上にスタータモータを取り付けることが容易であるが、メイン軸またはカウンタ軸のいずれかを上方に移動してクランク軸，メイン軸，カウンタ軸の３軸を互いに近づけてユニットケースの前後幅を短縮して内燃機関の小型化を図った場合、シリンダブロック後方のユニットケースの上壁の上方空間が狭くなるとともに、メイン軸とカウンタ軸のいずれかが上方に移動することでギヤ群を収容するミッションケースの上壁が上方に隆起し、スタータモータの取付けスペースも制限され、高い取付け剛性でユニットケースに取付けることが容易でない。
【０００７】
本発明は、かかる点に鑑みなされたもので、その目的とする処は、内燃機関の小型化を図りつつ、高い取付け剛性でスタータモータをユニットケースに取付けることができる内燃機関のスタータモータ取付構造を供する点にある。
【課題を解決するための手段】
【０００８】
上記目的を達成するために、請求項１記載の発明は、クランク機構を収容するクランクケースと変速機構を収容するミッションケースが前後に一体的に形成されるユニットケースの上部にスタータモータが取り付けられる内燃機関のスタータモータ取付構造において、前記クランクケースから前傾して突出したシリンダブロックの後側傾斜面に前側取付ボスが形成され、前記ミッションケースの上壁が前記変速機構のカウンタ軸より高く配置されたメイン軸を収容すべく上方に隆起した隆起部の前側壁面に後側取付ボスが形成され、前記前側取付ボスと前記後側取付ボスが互いにクランク軸方向にオフセットしており、前記スタータモータから延出した前側ブラケットと後側ブラケットが、それぞれ前記前側取付ボスと前記後側取付ボスに締結される内燃機関のスタータモータ取付構造とした。
【０００９】
請求項２記載の発明は、請求項１記載の内燃機関のスタータモータ取付構造において、前記前側取付ボスは、シリンダ中心軸からクランク軸方向にオフセットした位置に形成されることを特徴とする。
【００１０】
請求項３記載の発明は、請求項１または請求項２記載の内燃機関のスタータモータ取付構造において、前記ミッションケース内の前記メイン軸に配列される径の異なる複数のギヤからなるギヤ群が、前記ミッションケースの上壁の隆起部内に収容され、前記後側取付ボスが、前記ギヤ群のうち小径ギヤに対向する位置に形成されることを特徴とする。
【００１１】
請求項４記載の発明は、請求項１から請求項３までのいずれかの項記載の内燃機関のスタータモータ取付構造において、前記後側取付ボスが、前記クランクケース内のクランク室と前記ミッションケース内のミッション室とを仕切る仕切り壁の上方への延長部に形成されることを特徴とする。
【発明の効果】
【００１２】
請求項１記載の内燃機関のスタータモータ取付構造によれば、ミッションケースの上壁がカウンタ軸より高く配置されたメイン軸を収容すべく上方に隆起した隆起部を有する構造で、クランク軸とメイン軸とカウンタ軸を互いに近づけ内燃機関の小型化が図られているにも拘わらず、クランクケースから前傾して突出したシリンダブロックの後側傾斜面に形成された前側取付ボスと、ミッションケースの上壁が上方に隆起した隆起部の前側壁面に形成された後側取付ボスとが、互いにクランク軸方向にオフセットしているので、前側取付ボスと後側取付ボスとの距離を長く構成することができ、この適当に離れた前側取付ボスと後側取付ボスに、スタータモータから延出した前側ブラケットと後側ブラケットが締結されるため、高い取付け剛性が確保され、内燃機関の振動がスタータモータに与える振動加速度の影響を低減し、スタータモータの耐久性の向上を図ることができる。
【００１３】
請求項２記載の内燃機関のスタータモータ取付構造によれば、前側取付ボスを、シリンダ中心軸からクランク軸方向にオフセットした位置に形成することで、シリンダヘッドを締結するスタッドボルト等が配置される剛性が高い箇所に前側取付ボスが形成されるので、前側取付ボス自体の剛性を高くできるとともに、シリンダボアを避けてより前方位置すなわち後側取付ボスから可及的に前方に離して前側取付ボスを形成可能で、前側取付ボスと後側取付ボスとの距離をより大きく構成してより高い取付け剛性を確保することができる。
【００１４】
請求項３記載の内燃機関のスタータモータ取付構造によれば、メイン軸に配列される径の異なる複数のギヤからなるギヤ群を収容するミッションケースの上壁の隆起部の前側壁面に形成される後側取付ボスが、ギヤ群のうち小径ギヤに対向する位置に形成されるので、該小径ギヤに近づけてより後方位置すなわち前側取付ボスから可及的に後方に離して後側取付ボスを形成可能で、前側取付ボスと後側取付ボスとの距離を一層長く構成してより高い取付け剛性を確保することができる。
【００１５】
請求項４記載の内燃機関のスタータモータ取付構造によれば、ミッションケースの隆起部の前側壁面に形成される後側取付ボスが、ミッションケースの中でも剛性の高いクランク室とミッション室とを仕切る仕切り壁の上方への延長部に形成されるので、後側取付ボス自体の剛性を高くすることができる。
【発明を実施するための最良の形態】
【００１６】
以下、本発明に係る一実施の形態について図１ないし図７に基づいて説明する。
本実施の形態に係る内燃機関Ｅは、４つのシリンダを直列に配置した直列４気筒の水冷式４ストローク内燃機関であり、自動二輪車にクランク軸10を左右方向に指向させて横置きに搭載される。
なお、本明細書において、車両前進方向を前方、その反対方向を後方とし、前進方向である前方を見て左手方向を左方、右手方向を右方と決めておく。
【００１７】
該内燃機関Ｅの左側面図を図１に示す。
該内燃機関Ｅは、クランク軸10を収容するクランク室Ｃを形成するクランクケース11ｃと変速機構60を収容するミッション室Ｍを形成するミッションケース11ｍとが前後に一体的に形成されてユニットケース11を構成している。
ユニットケース11自体は、上側ユニットケース11Ｕと下側ユニットケース11Ｌの上下割りに構成されている。
【００１８】
上側クランクケース11ｃの上部には４つのシリンダボア12ｃを直列に配列して一体に成形されたシリンダブロック部12が幾らか前方に傾いて上方に延出形成され、同シリンダブロック部12の上にシリンダヘッド13が重ねられ、シリンダヘッド13の上にはシリンダヘッドカバー14が被せられる。
一方、下側ユニットケース11Ｌの下にはオイルパン15が取り付けられる。
【００１９】
シリンダブロック部12の４つのシリンダのシリンダボア12ｃにピストン30が往復摺動可能に嵌合され、同ピストン30はコンロッド31を介してクランク軸10に連結される。
シリンダヘッド13には、シリンダボア12ｃ毎に、ピストン30に対向して形成される燃焼室32と、燃焼室32に開口して１対の吸気弁35により開閉される吸気ポート33が後方へ延出し、１対の排気弁36により開閉される排気ポート34が前方に延出し、さらに燃焼室32に臨む点火プラグ37が装着される。
【００２０】
なお、吸気ポート33の上流側吸気通路管33ｂにはスロットルボディ33ａが連結されて、その上流に図示しないが、吸気管が連結され、排気ポート34の下流側開口には排気管が連結される。
【００２１】
各吸気弁35および各排気弁36は、シリンダヘッド13に回転可能に軸支される吸気カム軸38および排気カム軸39によりクランク軸10の回転に同期して開閉駆動される。
そのために、各カム軸38，39は、右端部にカムスプロケット38ｓ，39ｓが嵌着され、クランク軸10の右端部近傍に嵌着される駆動スプロケット10ｓとカムスプロケット38ｓ，39ｓの間にタイミングチェーン40が掛け渡され（図２参照）、クランク軸10の半分の回転速度で回転駆動される。
【００２２】
クランク軸10は、上下のクランクケース11ｃ，11ｃに主軸受20を介して挟まれて回転自在に軸支され、図２に示すように、クランク軸10の右側部分には、上記嵌着された駆動スプロケット10ｓよりさらに右側端部に始動用被動ギヤ57が一方向クラッチ58を介して軸支されている。
【００２３】
クランクケース11ｃの左側壁を貫通したクランク軸10の左端部に、図２に示すように、交流発電機47のアウタロータ47ｒが嵌着され、交流発電機47に左方から被せられる発電機カバー48に交流発電機47の発電コイルを備えたインナステータ47ｓが支持されてアウタロータ47ｒ内に配置される。
【００２４】
クランクケース11ｃのクランク軸10を収容するクランク室Ｃと仕切り壁21により仕切られて後方にミッション室Ｍがミッションケース11ｍに形成されている（図２，図６参照）。
【００２５】
ミッション室Ｍに収容される変速機構60は、常時噛合い式の歯車変速機であり、クランク軸10の後方で斜め上方位置にメイン軸61が上側ミッションケース11ｍの左右軸受部62ａ，62ａに軸受62，62を介して回転自在に軸支され、クランク軸10の後方で上下のミッションケース11ｍ，11ｍの割り面に形成された半円弧状の軸受部66ａ，66ａに挟まれてカウンタ軸65が軸受66，66を介して回転自在に軸支される。
【００２６】
クランク軸10とその略水平後方位置に配置されたカウンタ軸65との間の上方にメイン軸61が配置され、クランク軸10とメイン軸61とカウンタ軸65が左右水平方向に指向して互いに平行であり、側面視で鋭角三角形の頂点位置にあってコンパクトにまとめられてユニットケース11の小型化が図られている。
【００２７】
ミッション室Ｍ内のメイン軸61には１速から６速までの変速比の６個の変速ギヤｍ１〜ｍ６が軸支され、同変速ギヤｍ１〜ｍ６に対応してカウンタ軸65には変速ギヤｎ1〜ｎ６が軸支され、対応する変速ギヤどうしが噛合している。
【００２８】
図２を参照して、最も変速比の大きい１速ギヤｍ１，ｎ１どうしの噛合が、ミッション室Ｍの右側壁に沿った最も右側に配置され、２速ギヤｍ２，ｎ２どうしの噛合が、ミッション室Ｍの左側壁に沿った最も左側に配置され、この１速ギヤｍ１，ｎ１と２速ギヤｍ２，ｎ２の間に、３速ギヤｍ３，ｎ３，４速ギヤｍ４，ｎ４，５速ギヤｍ５，ｎ５，６速ギヤｍ６，ｎ６の各噛合が配置されている。
【００２９】
このうちメイン軸61上の３速ギヤｍ３と４速ギヤｍ４が一体となってメイン軸61にスプライン嵌合されシフタとなって軸方向に移動して左右の６速ギヤｍ６と５速ギヤｍ５に選択的に着脱可能であり、カウンタ軸65上の５速ギヤｎ５と６速ギヤｎ６がそれぞれカウンタ軸66にスプライン嵌合されシフタとなって軸方向に移動して各々左右の変速ギヤに着脱可能である。
このシフタとなるメイン軸61上の一体の３速ギヤｍ３と４速ギヤｍ４およびカウンタ軸65上の５速ギヤｎ５と６速ギヤｎ６を変速操作機構によって移動して変速がなされる。
【００３０】
変速操作機構は、図１および図５を参照して、メイン軸61の後方にシフトフォーク軸70が、上側ミッションケース11ｍの左右軸受部71，71に両端を嵌着して支持されており、同シフトフォーク軸70の上方にシフトドラム75が、上側ミッションケース11ｍの左右軸受部76ａ，76ａに軸受76，76を介して回転自在に軸支されている。
また、シフトドラム75の前方の若干斜め上方にはシフトスピンドル77が、上側ミッションケース11ｍの左右軸受部78ａ，78ａに軸受78を介して回転自在に軸支されている。
【００３１】
図２を参照して、シフトドラム75の外周面に形成された３条のシフト溝に、シフトフォーク軸70に摺動自在に支持されたシフトフォーク70ａ，70ｂ，70ｃの各シフトピンが嵌合しており、シフトドラム75の回動によりシフト溝にガイドされて軸方向に移動するシフトフォーク70ａがメイン軸61上の３速ギヤｍ３と４速ギヤｍ４を移動させ、シフトフォーク70ｂ，70ｃがカウンタ軸65上の５速ギヤｎ５と６速ギヤｎ６をそれぞれ移動させて有効に動力伝達する変速ギヤの組を変更する。
なお、シフトドラム75は、シフトスピンドル77の所要角度の回転がリンク機構79を介して伝達されて回動する。
【００３２】
メイン軸61のミッション室Ｍから突出した右端部には多板式の摩擦クラッチ64が設けられ、同摩擦クラッチ64の大径のクラッチアウタ64ｏに共に回転するように支持されるプライマリドリブンギヤ63ｂとクランク軸10の最も右側のクランクウエブに形成されたプライマリドライブギヤ63ａが噛合して１次減速機構が構成されている。
【００３３】
摩擦クラッチ64の出力側であるクラッチインナ64ｉがメイン軸61にスプライン嵌合しており、よってクランク軸10の回転が１次減速機構63ａ，63ｂおよび摩擦クラッチ54を介してメイン軸51に伝達される。
このメイン軸61の右端の大径の摩擦クラッチ64とクランク軸10の右端の一方向クラッチ54を右側から覆って右ケースカバー22が被せられる。
【００３４】
メイン軸61の回転は、前記したように変速ギヤｍ１〜ｍ６と変速ギヤｎ1〜ｎ６の噛合いを介してカウンタ軸65に伝達される。
カウンタ軸65は、出力軸でもあり、ユニットケース11を左方に貫通して外部に突出させた左端部に出力スプロケット67が嵌着され、図示しない後輪の被動スプロケットとの間に伝動チェーン68が掛け渡され２次減速機構が構成され、この２次減速機構を介して動力が後輪に伝達される。
【００３５】
変速機構60および大径の摩擦クラッチ64は、以上のように構成されているので、これらを上方から覆う上側ユニットケース11Ｕは、後側ミッションケース11ｍの上壁がメイン軸61に軸支された変速ギヤｍ１〜ｍ６およびシフトドラム75を覆うべく上方に隆起した隆起部11ａを形成している（図５参照）。
したがって、図５に示すように、前傾したシリンダブロック部12の後側傾斜面12ｓと隆起部11ａの前側壁面11ｓが、概ねＶ字状になっている。
【００３６】
そして、上側ユニットケース11Ｕの右側は、大径の摩擦クラッチ64と後記するスタータモータ50による駆動を伝達する始動減速ギヤ機構54を収容すべく左側壁11ｃを伴って上方に大きく張り出した拡張部11ｂを形成している（図５参照）。
なお、拡張部11ｂの右側は、右ケースカバー22で覆われる。
【００３７】
したがって、図５および図６に示すように、上側ユニットケース11Ｕの右側の拡張部11ｂの左側壁11ｃの左側には、前後をシリンダブロック部12の後側傾斜面12ｓと隆起部11ａの前側壁面11ｓにより略Ｖ字状をなすＶ字状空間Ｓが形成されて、同Ｖ字状空間Ｓにスタータモータ50が配設される。
【００３８】
拡張部11ｂの左側壁11ｃには、スタータモータ50の駆動軸50ａが挿入される円孔11ｄが穿設され、シリンダブロック部12の後側傾斜面12ｓには前側取付ボス12ｆが形成され、隆起部11ａの前側壁面11ｓには後側取付ボス11ｒが形成されている。
【００３９】
上側ユニットケース11Ｕの上面図である図３を参照して、左右方向に直列に並んだ４つのシリンダボア12ｃのうち左から２番目のシリンダボア12ｃの後方の後側傾斜面12ｓであって、同左から２番目のシリンダボア12ｃのシリンダ中心軸Ｘ−Ｘ´からクランク軸方向右側にオフセットした位置に、前側取付ボス12ｆが形成されている。
【００４０】
一方、後側取付ボス11ｒは、隆起部11ａの前側壁面11ｓであって、前記２番目のシリンダボア12ｃのシリンダ中心軸Ｘ−Ｘ´からクランク軸方向左側に形成されている（図３参照）。
【００４１】
したがって、前側取付ボス12ｆと後側取付ボス11ｒは、互いにクランク軸方向にオフセットしている（図３参照）。
そして、前側取付ボス12ｆの取付座面と後側取付ボス11ｒの取付座面は、図１および図６に示すように、ユニットケース11の割り面と平行な同じ高さ位置にある。
【００４２】
この前側取付ボス12ｆと後側取付ボス11ｒに、スタータモータ50が取り付けられる。
スタータモータ50は、略円筒状をした本体部50ａを図３に示すように上側ユニットケース11Ｕの上に配置した姿勢で、その右端面から軸受円筒部50ｂが突出し、同軸受円筒部50ｂからモータ駆動軸51が突出している（図７参照）。
本体部50ａの左端部には取付部材52が装着されており、同取付部材52は、その下部前側から前方に前側ブラケット52ｆが延出し、下部後側から左方に後側ブラケット52ｒが延出している（図３，図７参照）。
【００４３】
該スタータモータ50は、上側ユニットケース11Ｕの右側の拡張部11ｂの左側壁11ｃの左側のシリンダブロック部12の後側傾斜面12ｓと隆起部11ａの前側壁面11ｓにより形成されたＶ字状空間Ｓにおいて、左側壁11ｃに穿設された円孔11ｄにモータ駆動軸51を挿入して本体右端面から突出した軸受円筒部50ｂを円孔11ｄに嵌合し、本体左端の取付部材52の前方に延出した前側ブラケット52ｆを前側取付ボス12ｆの取付座面に載せボルト53ｆで締結し、左方に延出した後側ブラケット52ｒを後側取付ボス11ｒの取付座面に載せボルト53ｒで締結し、上側ユニットケース11Ｕの上に図３に示すように取り付ける。
【００４４】
したがって、スタータモータ50は、右端軸受円筒部50ｂを拡張部11ｂの左側壁11ｃの円孔11ｄに嵌合し、左端取付部材52を前側取付ボス12ｆと後側取付ボス11ｒに締結してシリンダブロック部12の後側傾斜面12ｓと隆起部11ａの前側壁面11ｓにより形成されたＶ字状空間Ｓに架設されるように取り付けられる。
【００４５】
スタータモータ50のモータ駆動軸51は、拡張部11ｂの左側壁11ｃの円孔11ｄに挿入され、モータ駆動軸51の先端部に形成された駆動ギヤが始動減速ギヤ機構54を介して前記クランク軸10の始動用被動ギヤ57にギヤ連結されている。
したがって、スタータモータ50が駆動されモータ駆動軸51が回転すると、始動減速ギヤ機構54を介して始動用被動ギヤ57に伝達され、始動用被動ギヤ57の回転は一方向クラッチ58を介してクランク軸10に伝達されて強制的なクランク軸10の回転により内燃機関Ｅが始動される。
【００４６】
以上のような内燃機関Ｅにおいて、上側ユニットケース11Ｕのミッションケース11ｍの隆起部11ａの内面すなわちミッション室Ｍの天井面には、図４および図５を参照して、シフトフォーク軸70の右端を嵌着して支持する左右軸受部71，71に潤滑用突部72，72が下方に突出形成されている。
【００４７】
この右側の潤滑用突部72は、ミッション室Ｍ内のカウンタ軸65に軸支された最も右側の１速ギヤｎ１の上方に形成されている。
図５に図示するように、シフトフォーク軸70の右側軸受部71は、メイン軸61に軸支される最も右側の１速ギヤｍ１に沿った円弧状の天井面73の後側の下方へ垂れ下がった下端部位にあり、同下端部位の右側軸受部71の下面が円弧面71ａをなし、円弧面71ａの最下部がさらに下方へ突出して潤滑用突部72が形成されている。
シフトフォーク軸70の右側軸受部71は、潤滑用突部72の前側が円弧状の天井面73に連続する前半の円弧面71ａをなし、潤滑用突部72の後側も後半の円弧面71ａをなしている。
シフトフォーク軸70の左側軸受部71も同様の形状で、左側潤滑用突部72も同じように左側軸受部71から下方へ突出形成されている。
【００４８】
また、ミッション室Ｍの天井面には、図４および図５を参照して、メイン軸61の鉛直上方部位より後方に若干偏った位置に軸方向（左右方向）に指向してリブ74が下方へ突出形成されている。
このリブ74はメイン軸61に軸支される変速ギヤｍ１，ｍ３〜ｍ６の上方に形成されており、軸方向数箇所にさらに下方に突出した突起部74ａが形成されていて、特に潤滑油の供給が薄くなりがちな箇所に潤滑油を滴下して潤滑を強化している。
【００４９】
メイン軸61およびカウンタ軸65は、軸中心に中空の潤滑油路61ａ，65ａが形成されており、この潤滑油路61ａ，65ａの処々の油孔から径方向に潤滑油が吐出しており、同潤滑油はメイン軸61およびカウンタ軸65にスプライン嵌合するシフタギヤの軸方向の移動の潤滑を行うとともに、ミッション室内の変速ギヤ群ｍ１〜ｍ６，ｎ１〜ｎ６の回転により跳ね上げられ、跳ね上げられた潤滑油がミッション室Ｍの天井面に付着し変速ギヤ群ｍ１〜ｍ６，ｎ１〜ｎ６の上に滴下して変速ギヤ群ｍ１〜ｍ６，ｎ１〜ｎ６の噛合いを潤滑する。
【００５０】
本ユニットケース構造は、上下割りの略水平な割り面にクランク軸10とカウンタ軸65を挟んで回転自在に軸支し、クランク軸10とカウンタ軸65の間の上方であってカウンタ軸65の上方で若干前方位置にメイン軸61を回転自在に軸支する前後幅を短縮した構造であり、図５に示す左側面視で、メイン軸61はクランク軸10の回転が１次減速機構63ａ，63ｂを介して伝達されて時計回り（図５に矢印で示す）に回転し、カウンタ軸65は変速ギヤ群ｍ１〜ｍ６，ｎ１〜ｎ６の噛合いにより反時計回り（図５に矢印で示す）に回転する。
【００５１】
本ユニットケース構造における上側ユニットケース11Ｕのミッションケース11ｍの内面（ミッション室Ｍの天井面）には、メイン軸61の鉛直上方部位より後方に偏った位置に軸方向に指向してリブ74が下方に突出形成されているので、メイン軸61に軸支される変速ギヤｍ１〜ｍ６の時計回りの回転により跳ね上げられた潤滑油が、メイン軸61の鉛直上方部位より後方に偏った位置に形成されたリブ74によって一度受け止められて同リブ74より変速ギヤｍ１〜ｍ６の下方に回転する部分（メイン軸61とカウンタ軸65の各変速ギヤ群ｍ１〜ｍ６，ｎ１〜ｎ６が噛合う直前）に滴下され、変速ギヤ群ｍ１〜ｍ６，ｎ１〜ｎ６の噛合い部分に効率良く送られ、該噛合い部分を潤滑する。
【００５２】
そして、最も変速比の大きい組み合わせである第１変速ギヤｍ１，ｎ１のうち上方に位置するメイン軸61に軸支された第１変速ギヤｍ１は円弧状の天井面73で囲まれており、下方に位置するカウンタ軸65に軸支された第１変速ギヤｎ１の上方にはシフトフォーク軸70の右側軸受部71が垂下しており、右側軸受部71の円弧面71ａには潤滑用突部72が下方へ突出形成されている。
【００５３】
また、２番目に変速比の大きい組み合わせである第２変速ギヤｍ２，ｎ２の第２変速ギヤｍ２も同様に円弧状の天井面73で囲まれており、下方に位置するカウンタ軸65に軸支された第２変速ギヤｎ２の上方にはシフトフォーク軸70の左側軸受部71が垂下しており、左側軸受部71の円弧面71ａには潤滑用突部72が下方へ突出形成されている。
【００５４】
シフトフォーク軸70は、両変速ギヤ群ｍ１〜ｍ６，ｎ１〜ｎ６に最も近い変速比選択手段であり、したがってシフトフォーク軸70を支持する両側軸受部71，71はそれぞれ第１変速ギヤｎ１，第２変速ギヤｎ２に近く、軸受部71，71の円弧面71ａ，71ａに下方へ突出形成された潤滑用突部72，72はそれぞれ第１変速ギヤｎ１，第２変速ギヤｎ２の上方の近接した位置にある。
【００５５】
したがって、特にメイン軸61に軸支された第１変速ギヤｍ１，第２変速ギヤｍ２の回転により跳ね上げられ、円弧状の天井面73，73に付着した潤滑油が、後側天井面73，73を伝わって軸受部71，71の前半円弧面71ａ，71ａに連続して伝わり潤滑用突部72，72に至り、潤滑用突部72，72から直下の（カウンタ軸65に軸支された）第１変速ギヤｎ１，第２変速ギヤｎ２の上に滴下される。
また、第１変速ギヤｎ１，第２変速ギヤｎ２の回転により跳ね上げられた潤滑油は軸受部71，71の後半円弧面71ａ，71ａに付着して後半円弧面71ａ，71ａを伝わって潤滑用突部72，72から直下の第１変速ギヤｎ１，第２変速ギヤｎ２の上に滴下される。
【００５６】
以上のように、本ユニットケース構造は、上下割りの略水平な割り面に配置されたクランク軸10とカウンタ軸65との間の上方にメイン軸61が配置されて前後幅を短縮し内燃機関Ｅの小型化を図った構造であり、同構造の上側ユニットケース11Ｕにおいて、第１変速ギヤｎ１および第２変速ギヤｎ２の上方にそれぞれ潤滑用突部72，72を有し、同潤滑用突部72，72の前後の円弧面71ａ，71ａを伝わってきた潤滑油が、潤滑用突部72，72から直下の第１変速ギヤｍ１，ｎ１の噛合い部に向かって回転する第１変速ギヤｎ１の上部および第２変速ギヤｍ２，ｎ２の噛合い部に向かって回転する第２変速ギヤｎ２の上部に滴下されるので、潤滑油は効率良く滴下され変速比が大きい第１変速ギヤｍ１，ｎ１の噛合い部に特に潤滑油が供給され、負荷が大きく掛かる第１変速ギヤｍ１，ｎ１および第２変速ギヤｍ２，ｎ２の噛合い部を積極的に潤滑することができ、適切な潤滑性能を確保できる。
【００５７】
また、メイン軸61に軸支された変速ギヤ群ｍ１〜ｍ６の回転により跳ね上げられた潤滑油をリブ74によって一度受けてリブ74より同変速ギヤ群ｍ１〜ｍ６の変速ギヤ群ｍ１〜ｍ６，ｎ１〜ｎ６の噛合い部に向かう上部に滴下して同噛合い部に供給し、さらに変速ギヤｍ１，ｍ２およびカウンタ軸65に軸支された変速ギヤｎ１，ｎ２の回転により飛散して天井面に付着した潤滑油を潤滑用突部72，72に集約して変速ギヤｎ１，ｎ２上に滴下することができるため、多段的に互いに噛み合う両変速ギヤ群の潤滑を効率良く行うことができる。
【００５８】
上記したように、クランク軸10とカウンタ軸65との間の上方にメイン軸61が配置されてミッションケース11ｓがメイン軸61の変速ギヤ群ｍ１〜ｍ６を収納すべく隆起して前後幅を短縮した構造の上側ユニットケース11Ｕの上に、前記したようにスタータモータ50が取り付けられる。
【００５９】
内燃機関Ｅの小型化を図るべく前後幅を短縮した上側ユニットケース11Ｕのシリンダブロック部12の後側傾斜面12ｓと隆起部11ａの前側壁面11ｓにより形成された狭いＶ字状空間Ｓに、スタータモータ50は架設される。
【００６０】
すなわち、スタータモータ50は、右端軸受円筒部50ｂが拡張部11ｂの左側壁11ｃの円孔11ｄに嵌合され、左端取付部材52の前側ブラケット52ｆがシリンダブロック部12の後側傾斜面12ｓに形成された前側取付ボス12ｆに締結され、後側ブラケット52ｒが隆起部11ａの前側壁面11ｓに形成された後側取付ボス11ｒに締結されて上側ユニットケース11Ｕに取り付けられる。
【００６１】
スタータモータ50の左端取付部材52が取り付けられるシリンダブロック部12の後側傾斜面12ｓに形成された前側取付ボス12ｆと隆起部11ａの前側壁面11ｓに形成された後側取付ボス11ｒは、図３に示すように、シリンダ中心軸Ｘ−Ｘ´に対して右方と左方にあって互いにクランク軸方向（左右方向）にオフセットしているので、スタータモータ50が取り付けられるＶ字状空間Ｓが狭くても前側取付ボス12ｆと後側取付ボス11ｒの距離を大きく確保することができる。
【００６２】
この内燃機関の小型が図られて狭く区画されたＶ字状空間Ｓにおいて、適当に大きく離れて構成された前側取付ボス12ｆと後側取付ボス11ｒに、スタータモータ50の取付部材52から延出した前側ブラケット52ｆと後側ブラケット52ｒがそれぞれ締結されるため、高い取付け剛性が確保され、内燃機関の振動がスタータモータ50に与える振動加速度の影響を低減し、スタータモータ50の耐久性の向上を図ることができる。
【００６３】
また、前側取付ボス12ｆは、シリンダ中心軸Ｘ−Ｘ´に対してクランク軸方向右側にオフセットした位置に形成されているので、シリンダボア12ｃ，12ｃ間の連結部であってシリンダブロック部12にシリンダヘッド13を締結するスタッドボルト等が配置される剛性が最も高い箇所に前側取付ボス12ｆが形成されるため、前側取付ボス12ｆ自体の剛性を高くできる。
【００６４】
さらに、シリンダボア12ｃを避けてより前方位置すなわち後側取付ボス11ｒから可及的に前方に離して前側取付ボス12ｆを形成可能で、前側取付ボス12ｆと後側取付ボス11ｒとの距離をより大きく構成してより高い取付け剛性を確保することができる。
【００６５】
図３に示すように、後側取付ボス11ｒは、ミッションケース11ｍの隆起部11ａの前側壁面11ｓであって最も左側に形成されており、同箇所はミッション室Ｍ内のメイン軸61に軸支された変速ギヤ群ｍ１〜ｍ６のうち最も左側の第２変速ギヤｍ２の略前方位置にある。
第２変速ギヤｍ２，ｎ２の噛合いは変速比が大きく、よって第２変速ギヤｍ２の径は小さいため、後側取付ボス11ｒを小径の第２変速ギヤｍ２に近づけてより後方位置すなわち前側取付ボス12ｆから可及的に後方に離して後側取付ボス11ｒを形成可能で、前側取付ボス12ｆと後側取付ボス11ｒとの距離を一層長く構成してより高い取付け剛性を確保することができる。
【００６６】
なお、メイン軸61および変速ギヤｍ１〜ｍ６の組付け時は、上側ユニットケース11Ｕのミッションケース11ｍの右側側壁の軸受開口から挿入して右側から組付けるため、最も左側の変速ギヤｍ２より径の大きい変速ギヤｍ６等が、第２変速ギヤｍ２の略前方位置にある後側取付ボス11ｒと干渉することはない。
【００６７】
また、図６に図示するように、後側取付ボス11ｒは、上側ユニットケース11Ｕのクランク室Ｃとミッション室Ｍとを仕切る仕切り壁21の上方への延長部に形成されるので、後側取付ボス11ｒ自体の剛性を高くすることができ、内燃機関の振動のスタータモータ50への影響をより低減し、スタータモータ50の耐久性の向上を図ることができる。
【図面の簡単な説明】
【００６８】
【図１】本発明の一実施の形態に係る内燃機関の左側面図である。
【図２】同内燃機関の展開断面図である。
【図３】上側ユニットケースの上面図である。
【図４】同下面図である。
【図５】図３のＶ−Ｖ線断面図である。
【図６】図３のＶＩ−ＶＩ線断面図である。
【図７】スタータモータの上面図である。
【符号の説明】
【００６９】
Ｃ…クランク室、Ｅ…内燃機関、Ｍ…ミッション室、
ｍ１〜ｍ６，ｎ１〜ｎ６…変速ギヤ群、
10…クランク軸、11…ユニットケース、11Ｌ…下側ユニットケース、11Ｕ…上側ユニットケース、11ａ…隆起部、11ｃ…クランクケース、11ｍ…ミッションケース、11ｒ…後側取付ボス、12…シリンダブロック部、11ａ…隆起部、11ｓ…前側壁面、12ｆ…前側取付ボス、21…仕切り壁、
50…スタータモータ、51…モータ駆動軸、52…取付部材、52ｆ…前側ブラケット、52ｒ…後側ブラケット、53ｆ，53ｒ…ボルト、54…始動減速ギヤ機構、57…始動用被動ギヤ、58…一方向クラッチ、60…変速機構、61…メイン軸、65…カウンタ軸。
【図１】
2008057396.tif 000003
【図２】
2008057396.tif 000004
【図３】
2008057396.tif 000005
【図４】
2008057396.tif 000006
【図５】
2008057396.tif 000007
【図６】
2008057396.tif 000008
【図７】
2008057396.tif 000009